(57)【特許請求の範囲】
【請求項１】
表示操作部と、
複数の操作画面に係るデータ及び利用者により前記操作画面の参照が容易な電子取扱説明書に係るデータを記憶する記憶部と、
前記記憶部に記憶された所定の操作画面に係るデータに対応する操作画面又は前記電子取扱説明書に係るデータに対応する取扱説明書を前記表示操作部に表示制御する制御部とを備える貨幣処理装置であって、
前記電子取扱説明書に係るデータに含まれる各項目データは、該項目データに対応する動作制御の操作が可能な操作画面に係るデータへのリンク情報を有し、
前記制御部は、
前記所定の操作画面と前記電子取扱説明書を前記表示操作部に並列表示させ、前記表示操作部に表示された前記電子取扱説明書の項目が選択されたならば、前記項目に対応する項目データのリンク情報に基づいて、前記項目に対応する動作制御の操作が可能な操作画面を前記表示操作部に表示制御するとともに、該操作画面に対して行われた操作に連動して、電子取扱説明書の表示項目を追従させるよう制御する
ことを特徴とする貨幣処理装置。
【請求項２】
前記制御部は、
前記表示操作部に表示された電子取扱説明書の任意の項目に対する所定の操作がなされた場合に、この項目を所定の操作リストに登録するとともに、前記表示操作部に表示された前記操作リストから任意の項目が選択された場合に、該項目に対応する電子取扱説明書の箇所を前記表示操作部に表示制御する
ことを特徴とする請求項１に記載の貨幣処理装置。
【請求項３】
前記記憶部は、
複数の操作画面に係るデータ及び電子取扱説明書に係るデータ及びダイアログに係るデータを記憶し、
前記制御部は、
所定の条件が成立した場合に、前記表示操作部に表示された操作画面上に前記ダイアログに係るデータに対応する所定のダイアログをポップアップ表示し、ポップアップ表示されたダイアログにおいて所定の項目が選択された場合に、該項目に対応する電子取扱説明書の箇所を前記表示操作部に表示制御する
ことを特徴とする請求項１に記載の貨幣処理装置。
【請求項４】
前記複数の操作画面に係るデータ、前記電子取扱説明書に係るデータ若しくはダイアログに係るデータのいずれかに含まれる第１の用語が第２の用語に変更された場合に、他のデータに含まれる前記第１の用語を前記第２の用語に変更処理する変更処理部をさらに備えたことを特徴とする請求項１に記載の貨幣処理装置。
【請求項５】
前記変更処理部は、前記第１の用語が第２の用語に変更された場合に、前記第１の用語に関連付けられた他の用語に対して前記第１の用語の変更に応じた変更を行うことを特徴とする請求項４に記載の貨幣処理装置。
【請求項６】
前記制御部は、
前記表示操作部に表示された電子取扱説明書の任意の項目に対する所定の操作がなされた場合に、この項目に対する補足情報を入力する入力画面を表示制御し、
前記記憶部は、
前記入力画面上で入力された補足情報に係るデータを前記電子取扱説明書の該当項目に対応付けて記憶する
ことを特徴とする請求項１に記載の貨幣処理装置。
【請求項７】
前記制御部は、前記補足情報に係るデータに対して保持期間を設定し、該保持期間を超過した補足情報に関するデータを削除することを特徴とする請求項６に記載の貨幣処理装置。
【請求項８】
前記記憶部は、
前操作によって表示操作部に表示された電子取扱説明書のページを記憶し、
前記制御部は、
前記表示操作部に対する電子取扱説明書の表示操作がなされた場合に、前記記憶部に記憶された前記電子取扱説明書のページを表示制御する
ことを特徴とする請求項１に記載の貨幣処理装置。
【請求項９】
表示操作部と、複数の操作画面に係るデータ及び利用者により前記操作画面の参照が容易な電子取扱説明書に係るデータを記憶する記憶部と、前記記憶部に記憶された所定の操作画面に係るデータに対応する操作画面又は前記電子取扱説明書に係るデータに対応する取扱説明書を前記表示操作部に表示制御する制御部とを備える貨幣処理装置における表示制御方法であって、
前記制御部が、前記所定の操作画面と前記電子取扱説明書を前記表示操作部に並列表示させ、前記表示操作部に表示された前記電子取扱説明書の項目の選択を受け付ける受付ステップと、
前記制御部が、前記受付ステップにより受け付けた項目に対応する項目データのリンク情報に基づいて、前記項目に対応する動作制御の操作が可能な操作画面を前記表示操作部に表示制御するとともに、該操作画面に対して行われた操作に連動して、電子取扱説明書の表示項目を追従させるよう制御する表示制御ステップと
を含むことを特徴とする表示制御方法。
【発明の詳細な説明】
【技術分野】
【０００１】
この発明は、表示操作部を有する貨幣処理装置及び表示制御方法に関する。
【背景技術】
【０００２】
従来、銀行などの金融機関の店舗には、貨幣の入金及び出金を行う出納機と呼ばれる貨幣処理装置が配設されている。かかる出納機には表示操作部が設けられ、操作者がこの表示操作部上で各種操作を行うことにより、貨幣の入金処理又は出金処理などが実行される（例えば、特許文献１を参照）。
【０００３】
ここで、近年の出納機は様々な機能を有する反面で、表示操作部に一度に表示できる項目には限界があるため、複数の表示画面を木構造状に階層化し、ある操作画面上で任意の項目が選択されると、この項目に対応する他の表示画面が表示されるよう構成されている。
【０００４】
また、近年の出納機は、操作者による出納機の取り扱いを容易にするために、電子取扱説明書が実装される場合がある。あらかじめ装置内部に電子取扱説明書のデータを記憶しておき、表示操作部上で所定の操作が行われると、この表示操作部に電子取扱説明書が表示される。
【先行技術文献】
【特許文献】
【０００５】
【特許文献１】特開２０１５−０９４９８７号公報
【発明の概要】
【発明が解決しようとする課題】
【０００６】
しかしながら、上記の従来技術を用いたとしても、全ての利用者にとって使い易い出納機を実現することは極めて難しい。ある利用者にとって使い易い出納機であっても、他の利用者にとって使い易いものになっているとは限らないからである。その結果、出納機の提供者による電話対応又はメール対応などで利用者をサポートすることとなるが、かかる対応に時間を要すると、利用者の業務に支障を来す可能性がある。このため、かかる出納機において、いかにして利用者の操作性を高めるかが重要な課題となっている。
【０００７】
例えば、利用者が上記電子取扱説明書を利用する場合には、表示操作部に電子取扱説明書が全面表示される結果、利用者が説明内容を記憶又はメモしたうえで操作画面に戻り、利用者の記憶又はメモした操作を行わねばならない。ここで、全ての情報を網羅無く記憶又はメモすることは難しいため、思わぬ操作を実行してしまう可能性がある。
【０００８】
なお、かかる課題は、出納機のみに生ずる課題ではなく、少なくとも表示操作部に操作画面を表示する各種の貨幣処理装置において同様に生ずる課題となっている。
【０００９】
本発明は、上記従来技術の課題を解決するためになされたものであって、利用者による操作性を高めることができる貨幣処理装置及び表示制御方法を提供することを目的とする。
【課題を解決するための手段】
【００１０】
上述した課題を解決し、目的を達成するため、本発明は、表示操作部と、複数の操作画面に係るデータ及び利用者により前記操作画面の参照が容易な電子取扱説明書に係るデータを記憶する記憶部と、前記記憶部に記憶された所定の操作画面に係るデータに対応する操作画面又は前記電子取扱説明書に係るデータに対応する取扱説明書を前記表示操作部に表示制御する制御部とを備える貨幣処理装置であって、前記電子取扱説明書に係るデータに含まれる各項目データは、該項目データに対応する動作制御の操作が可能な操作画面に係るデータへのリンク情報を有し、前記制御部は、前記所定の操作画面と前記電子取扱説明書を前記表示操作部に並列表示させ、前記表示操作部に表示された前記電子取扱説明書の項目が選択されたならば、前記項目に対応する項目データのリンク情報に基づいて、前記項目に対応する動作制御の操作が可能な操作画面を前記表示操作部に表示制御するとともに、該操作画面に対して行われた操作に連動して、電子取扱説明書の表示項目を追従させるよう制御することを特徴とする。
【００１３】
また、本発明は、上記の発明において、前記制御部は、前記表示操作部に表示された電子取扱説明書の任意の項目に対する所定の操作がなされた場合に、この項目を所定の操作リストに登録するとともに、前記表示操作部に表示された前記操作リストから任意の項目が選択された場合に、該項目に対応する電子取扱説明書の箇所を前記表示操作部に表示制御することを特徴とする。
【００１４】
また、本発明は、上記の発明において、前記記憶部は、複数の操作画面に係るデータ及び電子取扱説明書に係るデータ及びダイアログに係るデータを記憶し、前記制御部は、所定の条件が成立した場合に、前記表示操作部に表示された操作画面上に前記ダイアログに係るデータに対応する所定のダイアログをポップアップ表示し、ポップアップ表示されたダイアログにおいて所定の項目が選択された場合に、該項目に対応する電子取扱説明書の箇所を前記表示操作部に表示制御することを特徴とする。
【００１５】
また、本発明は、上記の発明において、前記複数の操作画面に係るデータ、前記電子取扱説明書に係るデータ若しくはダイアログに係るデータのいずれかに含まれる第１の用語が第２の用語に変更された場合に、他のデータに含まれる前記第１の用語を前記第２の用語に変更処理する変更処理部をさらに備えたことを特徴とする。
【００１６】
また、本発明は、上記の発明において、前記変更処理部は、前記第１の用語が第２の用語に変更された場合に、前記第１の用語に関連付けられた他の用語に対して前記第１の用語の変更に応じた変更を行うことを特徴とする。
【００１７】
また、本発明は、上記の発明において、前記制御部は、前記表示操作部に表示された電子取扱説明書の任意の項目に対する所定の操作がなされた場合に、この項目に対する補足情報を入力する入力画面を表示制御し、前記記憶部は、前記入力画面上で入力された補足情報に係るデータを前記電子取扱説明書の該当項目に対応付けて記憶することを特徴とする。
【００１８】
また、本発明は、上記の発明において、前記制御部は、前記補足情報に係るデータに対して保持期間を設定し、該保持期間を超過した補足情報に関するデータを削除することを特徴とする。
【００１９】
また、本発明は、上記の発明において、前記記憶部は、前操作によって表示操作部に表示された電子取扱説明書のページを記憶し、前記制御部は、前記表示操作部に対する電子取扱説明書の表示操作がなされた場合に、前記記憶部に記憶された前記電子取扱説明書のページを表示制御することを特徴とする。
【００２０】
また、本発明は、表示操作部と、複数の操作画面に係るデータ及び利用者により前記操作画面の参照が容易な電子取扱説明書に係るデータを記憶する記憶部と、前記記憶部に記憶された所定の操作画面に係るデータに対応する操作画面又は前記電子取扱説明書に係るデータに対応する取扱説明書を前記表示操作部に表示制御する制御部とを備える貨幣処理装置における表示制御方法であって、前記制御部が、前記所定の操作画面と前記電子取扱説明書を前記表示操作部に並列表示させ、前記表示操作部に表示された前記電子取扱説明書の項目の選択を受け付ける受付ステップと、前記制御部が、前記受付ステップにより受け付けた項目に対応する項目データのリンク情報に基づいて、前記項目に対応する動作制御の操作が可能な操作画面を前記表示操作部に表示制御するとともに、該操作画面に対して行われた操作に連動して、電子取扱説明書の表示項目を追従させるよう制御する表示制御ステップとを含むことを特徴とする。
【発明の効果】
【００２１】
本発明によれば、利用者による操作性を高めることができる。
【図面の簡単な説明】
【００２２】
【図１】図１は、貨幣入出金機による表示制御についての説明図である。
【図２】図２は、実施例に係る貨幣入出金機の外観を示す斜視図である。
【図３】図３は、図２に示した貨幣入出金機における紙幣入出金装置の内部構成を示す構成図である。
【図４】図４は、図２に示した貨幣入出金機における硬貨入出金装置を正面側から見たときの内部構成を示す構成図である。
【図５】図５は、図２に示した貨幣入出金機における硬貨入出金装置を左側方から見たときの内部構成を示す構成図である。
【図６】図６は、図２に示した貨幣入出金機における硬貨入出金装置を右側方から見たときの内部構成を示す構成図である。
【図７】図７は、硬貨入出金装置における入金繰出部及び入金搬送部を上方から見たときの構成を示す構成図である。
【図８】図８は、硬貨入出金装置における各構成部材間での硬貨の流れを示す説明図である。
【図９】図９は、図２に示した貨幣入出金機の機能ブロック図である。
【図１０】図１０は、図１に示した取扱説明書から操作画面への移行制御に係る処理手順を示すフローチャートである。
【図１１】図１１は、メインメニューのカスタマイズについての説明図である。
【図１２】図１２は、カスタマイズによる操作画面の移行についての説明図である。
【図１３】図１３は、操作画面の検索についての説明図である。
【図１４】図１４は、操作画面と電子取扱説明書の並列表示と連動についての説明図である。
【図１５】図１５は、電子取扱説明書のショートカット登録についての説明図である。
【図１６】図１６は、ダイアログからの電子取扱説明書の表示についての説明図である。
【図１７】図１７は、用語の置き換えについての説明図である。
【図１８】図１８は、取扱説明書へのメモの登録についての説明図である。
【図１９】図１９は、取扱説明書への項目の追加についての説明図である。
【図２０】図２０は、取扱説明書の表示位置の記憶についての説明図である。
【発明を実施するための形態】
【００２３】
以下に、添付図面を参照して、本発明に係る貨幣処理装置及び表示制御方法の実施例を説明する。
【実施例】
【００２４】
＜取扱説明書から操作画面への移行制御＞
本実施例では、金融機関のバックヤードなどで出納機として用いられる貨幣入出金機に本発明を適用する場合について説明する。本実施例に係る貨幣入出金機は、バラ紙幣、包装紙幣、バラ硬貨、包装硬貨を装置内部に収納することができ、貨幣の入出金に係る操作を受け付けるための操作画面を表示操作部に表示制御する。また、貨幣入出金機は、装置内部に電子取扱説明書のデータを記憶しており、表示操作部に電子取扱説明書を表示制御することができる。
【００２５】
図１は、貨幣入出金機による表示制御についての説明図である。図１（ａ１）は、待機状態で表示操作部に表示される操作画面である。待機状態の操作画面では、バラ紙幣、包装紙幣、バラ硬貨、包装硬貨の在高が金種毎に表示される。また、待機状態の操作画面には、取扱説明書を表示させるための取扱説明書ボタンが表示される。
【００２６】
図１（ａ１）に示した操作画面において、在高が表示されている画面領域に操作者が触れると、貨幣入出金機は、図１（ａ２）に示す操作画面のメインメニューを表示操作部に表示制御する。
【００２７】
図１（ａ２）に示す操作画面のメインメニューでは、入金、入出金、管理業務、出金、ユーザメニュー、照会、両替、回収、メンテナンスなどの項目に対応する操作ボタンが表示される。操作者がこれらの項目から所望の操作に対応する項目を選んで操作すると、選択した項目に属する下位の操作画面が表示制御される。このように、操作画面は木構造状に階層化されており、操作者は木構造状の操作画面を辿ることで所望の操作を行うための操作画面に到達することができる。
【００２８】
例えば、図１（ａ３）に示す損券・損貨の入金を行う操作画面を表示する場合には、操作者は入金の項目に対応する操作ボタンから木構造状の操作画面を辿ることになる。
【００２９】
一方、図１（ａ１）に示した操作画面において、取扱説明書ボタンに操作者が触れると、貨幣入出金機は、図１（ｂ１）に示すように取扱説明書を表示操作部に表示制御する。取扱説明書の表示制御では、表示操作部の左側に目次が表示され、右側に目次に対応する説明の内容が表示される。また、取扱説明書から指定の語句を検索するための検索用入力領域も表示される。
【００３０】
操作者が検索用入力領域に語句を入力して検索を実行すると、貨幣入出金機は、入力された語句に対応する取扱説明書の項目を検索して表示制御する。図１（ｂ２）は、「損券入金」を入力して検索を実行した状態を示している。このため、図１（ｂ２）では、左側の目次に「３．１４  損券入金」とその前後の項目が表示され、右側には「３．１４  損券入金」に対応する操作の説明が表示されている。
【００３１】
さらに、取扱説明書に係るデータに含まれる各項目データは、該項目データに対応する操作画面に係るデータへのリンク情報を有している。このため、表示操作部に表示中の電子取扱説明書の項目に対応する操作画面に移行させることができる。
【００３２】
図１（ｂ２）では、損券の入金に係る操作の説明が表示されているので、操作者は、図１（ｂ２）の取扱説明書の表示から図１（ａ３）に示す操作画面に表示を移行させることができる。
【００３３】
このように、本実施例に係る貨幣入出金機は、電子取扱説明書内の項目と操作画面上の項目との間にリンクを張り、電子取扱説明書内の項目から操作画面に移行させることができる。すなわち、木構造状の操作画面を辿ることなく所望の操作画面に移行することができ、また、操作に関する説明を確認した上で直ちに操作画面に移行することができる。これらのことから、貨幣入出金機の操作性は大きく高められることとなる。
【００３４】
なお、操作者について認証を行えば、操作者の権限や担当業務に合わせて取扱説明書の表示や操作画面への移行を制御できる。例えば、操作に必要な権限を持たない操作者が取扱説明書を検索した場合、操作の説明は表示するが操作画面への移行は行わない、といった制御が可能である。また、取扱説明書の特定の項目について、権限を持たない操作者には表示自体を行わないといった制御も可能である。
【００３５】
＜貨幣入出金機の外観構成＞
次に、本実施例に係る貨幣入出金機１の外観構成について説明する。図２は、実施例に係る貨幣入出金機の外観を示す斜視図である。図２に示すように、実施例に係る貨幣入出金機１は、紙幣入出金装置１０及び硬貨入出金装置１１０が左右に並ぶよう配置されることにより構成されている。紙幣入出金装置１０は、バラ紙幣の入金処理や出金処理を行うことができるとともに、機体内で所定枚数（例えば、１００枚）のバラ紙幣を結束して帯封紙幣を作成、作成した帯封紙幣の出金処理とを行うことができる。硬貨入出金装置１１０は、バラ硬貨の入金処理や出金処理を行うことができるとともに、機体内で所定枚数（例えば、５０枚）のバラ硬貨に紙やフィルム等の包装媒体を巻くことにより包装硬貨を作成し、作成した包装硬貨の出金処理を行うことができる。
【００３６】
＜紙幣入出金装置の構成＞
次に、貨幣入出金機１における紙幣入出金装置１０の構成について図２及び図３を用いて説明する。図３は、図２に示した貨幣入出金機における紙幣入出金装置の内部構成を示す構成図である。図２及び図３に示すように、紙幣入出金装置１０は略直方体形状の筐体１２を有しており、この筐体１２の前面には、筐体１２の外部から内部にバラ紙幣を入金するための投入部１４、筐体１２の内部から外部にバラ紙幣を出金するためのバラ紙幣投出部２４、筐体１２の内部から外部に帯封紙幣を出金するための帯封紙幣投出部４８がそれぞれ設けられている。なお、図３における筐体１２の左側の側面が紙幣入出金装置１０の前面側（すなわち、図２に示すように紙幣入出金装置１０を手前側から見たときの正面側）となっており、図３における右方向が筐体１２の奥行き方向となっている。
【００３７】
図２に示すように、投入部１４の前面は筐体１２の外部に開口しており、操作者はこの開口を介して投入部１４の内部にアクセスする（具体的には、投入部１４の内部に手を入れる）ことができる。このことにより、操作者は投入部１４の内部にバラ紙幣の束を投入することができる。
【００３８】
一方、バラ紙幣投出部２４及び帯封紙幣投出部４８にはそれぞれシャッター２４ａ、４８ａが設けられており、これらのシャッター２４ａ、４８ａは、バラ紙幣投出部２４の前面に面する開口（すなわち、バラ紙幣の出金口）や帯封紙幣投出部４８の前面に面する開口（すなわち、帯封紙幣の出金口）をそれぞれ開閉する。シャッター２４ａ、４８ａによりバラ紙幣投出部２４や帯封紙幣投出部４８の開口が開かれると、操作者はバラ紙幣投出部２４や帯封紙幣投出部４８の内部にそれぞれアクセスする（具体的には、バラ紙幣投出部２４や帯封紙幣投出部４８の内部に手を入れる）ことが可能となり、当該操作者はバラ紙幣投出部２４や帯封紙幣投出部４８に集積されているバラ紙幣や帯封紙幣を筐体１２の内部から外部に取り出すことができる。これらのシャッター２４ａ、４８ａはシャッター駆動部２４ｂ、４８ｂ（図９参照）によりそれぞれ駆動される。
【００３９】
なお、実施例に係る紙幣入出金装置１０では、バラ紙幣投出部２４は、バラ紙幣の出金処理が行われる際にバラ紙幣を筐体１２の外部に排出するための出金部として機能するとともに、入金処理時に後述する識別部２０により識別することができなかったバラ紙幣や、識別部２０により正常なバラ紙幣ではないと識別されたバラ紙幣を筐体１２の外部に排出するための入金リジェクト部として機能する。
【００４０】
また、図３に示すように、筐体１２の前面におけるバラ紙幣投出部２４の下方には、紙幣入出金装置１０においてバラ紙幣の出金処理が行われる際にバラ紙幣投出部２４により筐体１２の外部に出金すべきではないと判断されたバラ紙幣が集積される出金リジェクト部２６が設けられている。出金リジェクト部２６の前面は筐体１２の外部に開口しておらず、操作者は筐体１２から紙幣入出金装置１０の本体部分を手前側に引き出さない限りこの出金リジェクト部２６にアクセスすることができない。
【００４１】
図３に示すように、投入部１４には、当該投入部１４に投入されたバラ紙幣を１枚ずつ筐体１２の内部に繰り出すための繰出部１６が設けられている。また、紙幣入出金装置１０の筐体１２の内部には、当該筐体１２内でバラ紙幣を１枚ずつ搬送する搬送部１８が設けられており、繰出部１６により投入部１４から繰り出されたバラ紙幣は搬送部１８により筐体１２内で搬送される。また、搬送部１８には識別部２０が設けられており、搬送部１８により搬送されるバラ紙幣は識別部２０によりその金種、真偽、表裏、正損、新旧、搬送状態等が識別される。また、搬送部１８には表裏反転部２２が設けられている。表裏反転部２２は、識別部２０により識別されたバラ紙幣の表裏が揃うように反転させる。
【００４２】
また、図３に示すように、搬送部１８には入金一時保留部３０、混合バラ紙幣収納部３２及び複数（図３に示す例では３つ）の金種別バラ紙幣収納部３４がそれぞれ接続されており、搬送部１８は、これらの入金一時保留部３０、混合バラ紙幣収納部３２及び各金種別バラ紙幣収納部３４にバラ紙幣を搬送する。ここで、入金一時保留部３０、混合バラ紙幣収納部３２及び各金種別バラ紙幣収納部３４にはそれぞれ図３における上下方向に移動可能となっているステージ３０ａ、３２ａ、３４ａが設けられており、バラ紙幣は、これらのステージ３０ａ、３２ａ、３４ａ上に積層状態で集積される。
【００４３】
また、入金一時保留部３０の上端部の近傍には紙幣繰出繰入部３０ｂが設けられており、当該入金一時保留部３０に一時的に保留されているバラ紙幣は紙幣繰出繰入部３０ｂにより１枚ずつ搬送部１８に繰り出される。また、紙幣繰出繰入部３０ｂにより搬送部１８から入金一時保留部３０にバラ紙幣が１枚ずつ繰り入れられる。入金一時保留部３０には、バラ紙幣の入金処理において識別部２０により識別されたバラ紙幣が混合バラ紙幣収納部３２や各金種別バラ紙幣収納部３４に収納される前に一時的に保留される。
【００４４】
また、混合バラ紙幣収納部３２及び各金種別バラ紙幣収納部３４の上端部の近傍にはそれぞれ紙幣繰出繰入部３２ｂ、３４ｂが設けられており、混合バラ紙幣収納部３２や各金種別バラ紙幣収納部３４に収納されているバラ紙幣は紙幣繰出繰入部３２ｂ、３４ｂにより１枚ずつ搬送部１８に繰り出される。また、紙幣繰出繰入部３２ｂ、３４ｂにより搬送部１８から混合バラ紙幣収納部３２や各金種別バラ紙幣収納部３４にバラ紙幣が１枚ずつ繰り入れられる。各金種別バラ紙幣収納部３４には、それぞれ予め設定された特定の金種のバラ紙幣（例えば、千円紙幣、五千円紙幣及び一万円紙幣からなる３つの金種のバラ紙幣）が金種毎に収納される。一方、混合バラ紙幣収納部３２には、各金種別バラ紙幣収納部３４に割り当てられていない金種のバラ紙幣（例えば、二千円紙幣）や損券、ならびに後述するオーバーフロー紙幣等が混合状態で収納される。
【００４５】
図２及び図３に示すように、筐体１２の下部には下部扉１２ａが設けられており、この下部扉１２ａを開くことにより操作者は入金一時保留部３０の内部へのアクセスが可能となる。また、入金一時保留部３０、混合バラ紙幣収納部３２及び各金種別バラ紙幣収納部３４は、筐体１２の内部から手前側に（すなわち、図３における左方向に）引き出し可能となっている引出ユニット１３に収容されている。そして、操作者が下部扉１２ａを開いて引出ユニット１３を筐体１２の内部から手前側に引き出すことにより、当該操作者は混合バラ紙幣収納部３２や各金種別バラ紙幣収納部３４の引出ユニット１３からの取り外しと装着が可能となる。また、本実施例に係る紙幣入出金装置１０では、引出ユニット１３を筐体１２の内部にロックするためのロック機構５０（図９参照）が引出ユニット１３に設けられている。
【００４６】
また、図３に示すように、搬送部１８には複数（図３に示す例では２つ）の整理一時保留部４０が接続されており、当該搬送部１８から各整理一時保留部４０にバラ紙幣が送られるとこれらの整理一時保留部４０にバラ紙幣が積層状態で集積される。また、本実施例に係る紙幣入出金装置１０では、所定枚数（例えば、１００枚）のバラ紙幣からなる紙幣束に帯封紙を巻くことにより帯封紙幣を作成する帯封部４２が各整理一時保留部４０の隣に設けられている。
【００４７】
また、図３に示すように、筐体１２の内部において帯封部４２の近傍にはアーム機構４４が設けられており、当該アーム機構４４は各整理一時保留部４０、帯封部４２及び後述する帯封紙幣揚送部４６の間で移動可能である。アーム機構４４は、各整理一時保留部４０に集積された所定枚数のバラ紙幣からなる紙幣束を帯封部４２に搬送する。また、帯封部４２において帯封処理が行われる際に、所定枚数のバラ紙幣からなる紙幣束を保持しているアーム機構４４はこの帯封部４２に移動し、当該帯封部４２においてアーム機構４４の上下一対のアーム部により挟持された状態にある紙幣束の外周面に帯封紙が巻かれる。また、帯封部４２において帯封処理が行われた後、アーム機構４４は帯封部４２から帯封紙幣揚送部４６に移動して、この帯封紙幣揚送部４６のステージ４６ａ（後述）上に帯封紙幣を受け渡す。このような動作を繰り返すことにより、複数の帯封紙幣を帯封紙幣揚送部４６のステージ４６ａ上に集積させることができる。
【００４８】
帯封紙幣揚送部４６には、図３における上下方向に移動可能なステージ４６ａが設けられており、帯封部４２により作成された帯封紙幣がアーム機構４４からステージ４６ａ上に受け渡されると、当該ステージ４６ａ上に帯封紙幣が集積される。そして、アーム機構４４からステージ４６ａ上に１又は複数の帯封紙幣が受け渡された後、ステージ４６ａが図３における上方向に移動することにより帯封紙幣投出部４８と同じ高さレベルに到達し、シャッター４８ａが開くと、操作者は帯封紙幣投出部４８の内部にアクセスしてステージ４６ａ上に集積されている帯封紙幣を筐体１２の外部に取り出すことができる。また、ステージ４６ａが更に上昇すると、当該ステージ４６ａ上に集積されている帯封紙幣を後述する帯封紙幣搬送部６０に受け渡したり、帯封紙幣搬送部６０から帯封紙幣をステージ４６ａ上に集積させることができる。
【００４９】
図３に示すように、筐体１２の内部における上部領域には、複数（図３に示す例では４つ）の帯封紙幣収納部７０が設けられており、これらの帯封紙幣収納部７０には、帯封部４２により作成された帯封紙幣が積層状態で収納される。具体的には、各帯封紙幣収納部７０には、それぞれ予め設定された特定の金種の帯封紙幣が収納される。なお、予め設定された特定の金種の帯封紙幣が収納される帯封紙幣収納部７０が４つ設けられる代わりに、複数の帯封紙幣収納部７０のうち少なくとも１つの帯封紙幣収納部７０に金種が異なる帯封紙幣が混合状態で収納されるように構成してもよい。
【００５０】
各帯封紙幣収納部７０の内部にはそれぞれ図３における上下方向に移動可能なステージ７０ａが設けられており、帯封紙幣収納部７０の上端部（天井部分）に設けられた開口（図示せず）からこれらの各帯封紙幣収納部７０に送られた帯封紙幣はステージ７０ａ上に積層状態で集積される。また、各帯封紙幣収納部７０から帯封紙幣を出す場合には、ステージ７０ａが上昇することにより各帯封紙幣収納部７０の上端部（天井部分）に設けられた開口から帯封紙幣が上方に出される。
【００５１】
また、これらの各帯封紙幣収納部７０の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図３における時計回りの方向及び反時計回りの方向の両方向に循環移動することができる。そして、帯封紙幣搬送部６０により帯封紙幣が搬送される際に、当該帯封紙幣は循環ベルト６０ｂの下面に沿って突起６０ａにより引っ掛けられた状態で図３における左右いずれかの方向に移動する。また、図３に示すように、帯封紙幣搬送部６０による帯封紙幣の搬送路における帯封紙幣揚送部４６の上端と帯封紙幣収納部７０との間には判別部６２が設けられており、帯封紙幣搬送部６０により搬送される帯封紙幣は当該判別部６２によりその金種が判別される。
【００５２】
ここで、帯封部４２により作成された帯封紙幣を各帯封紙幣収納部７０に収納させる際には、アーム機構４４から帯封紙幣が帯封紙幣揚送部４６のステージ４６ａ上に受け渡された後に当該ステージ４６ａが上昇して帯封紙幣搬送部６０の近傍の位置まで到達する。また、循環ベルト６０ｂは図３における反時計回りの方向に循環移動する。このことにより、ステージ４６ａ上の帯封紙幣のうち最上位にある帯封紙幣が突起６０ａにより引っ掛けられて循環ベルト６０ｂの下面に沿って図３における右方向に搬送され、判別部６２によりその金種が判別された後、当該判別部６２による判別結果に基づいて対応する各帯封紙幣収納部７０に収納される。一方、各帯封紙幣収納部７０に収納されている帯封紙幣を帯封紙幣投出部４８により筐体１２の外部に出金する際には、循環ベルト６０ｂは図３における時計回りの方向に循環移動し、各帯封紙幣収納部７０から上方に押し出された最上位の帯封紙幣が突起６０ａにより引っ掛けられて循環ベルト６０ｂの下面に沿って図３における左方向に搬送される。また、ステージ４６ａが上昇して帯封紙幣搬送部６０の近傍の位置まで到達する。そして、帯封紙幣搬送部６０により搬送される帯封紙幣の金種が判別部６２により判別された後、当該帯封紙幣はステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定の数の帯封紙幣が集積されると当該ステージ４６ａが帯封紙幣投出部４８と同じ高さレベルまで下降し、シャッター４８ａが開く。
【００５３】
＜硬貨入出金装置の構成＞
次に、貨幣入出金機１における硬貨入出金装置１１０の構成について図２及び図４〜図８を用いて説明する。図４は、図２に示した貨幣入出金機における硬貨入出金装置を正面側から見たときの内部構成を示す構成図である。図５は、図２に示した貨幣入出金機における硬貨入出金装置を左側方から見たときの内部構成を示す構成図である。図６は、図２に示した貨幣入出金機における硬貨入出金装置を右側方から見たときの内部構成を示す構成図である。図７は、硬貨入出金装置における入金繰出部及び入金搬送部を上方から見たときの構成を示す構成図である。また、図８は、硬貨入出金装置における各構成部材間での硬貨の流れを示す説明図である。
【００５４】
図２及び図４〜図８に示すように、硬貨入出金装置１１０は、略直方体形状の筐体１１２と、筐体１１２の上面に設けられた硬貨投入口１２１に投入されたバラ硬貨を筐体１１２の内部に繰り出す入金繰出部１２０と、入金繰出部１２０により繰り出されたバラ硬貨を搬送する入金搬送部１２８と、入金搬送部１２８により搬送されるバラ硬貨を識別する入金識別部１２９とを備えている。また、図７に示すように、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０、入金識別部１２９により特定の任意の金種の硬貨であると識別されたバラ硬貨を選別する任意選別部１３４、及び入金識別部１２９により各々の金種の硬貨であると識別されたバラ硬貨を選別する複数の金種別選別部１３６がそれぞれ設けられている。また、筐体１１２の内部には、任意選別部１３４や各金種別選別部１３６により選別されたバラ硬貨を金種毎に一時的に保留する入金一時保留部１４０、及び入金一時保留部１４０から送られたバラ硬貨を金種毎に収納するとともに収納されているバラ硬貨を繰り出すことができる複数の収納繰出部１５２がそれぞれ設けられている。また、筐体１１２の内部には、任意選別部１３４により選別されたバラ硬貨を紙やフィルム等の包装媒体により包装することによって包装硬貨を作成する包装部１６０、包装部１６０により作成された包装媒体を収納する包装硬貨収納ユニット２００及び包装部１６０により作成された包装媒体を筐体１１２の内部で搬送する包装硬貨搬送ユニット２１０がそれぞれ設けられている。このような硬貨入出金装置１１０の各構成部材の詳細について以下に説明する。
【００５５】
図４、図５及び図７に示すように、入金繰出部１２０は、筐体１１２の上面に設けられた硬貨投入口１２１に投入されたバラ硬貨を受け入れる供給円盤１２２と、この供給円盤１２２からバラ硬貨が適量ずつ供給される回転円盤１２４と、回転円盤１２４からバラ硬貨を１枚ずつ入金搬送部１２８に繰り出す繰出機構１２６とを有している。
【００５６】
図７に示すように、入金搬送部１２８は、入金繰出部１２０から繰り出されたバラ硬貨を搬送路に沿って搬送する搬送ベルトを有している。ここで、搬送ベルトとしては例えば入金搬送部１２８の搬送路に沿って移動する丸ベルトが用いられ、入金繰出部１２０から繰り出されたバラ硬貨は当該丸ベルトとの間で働く摩擦力により搬送路に沿って搬送される。また、入金搬送部１２８には、当該入金搬送部１２８により搬送されるバラ硬貨の金種、真偽、正損、新旧、表裏、搬送状態等の識別を行う入金識別部１２９が設けられている。入金識別部１２９によるバラ硬貨の識別情報は後述する制御部３００に送られる。
【００５７】
また、図７に示すように、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０が設けられている。また、図５に示すように、筐体１１２の内部には、リジェクト選別部１３０により選別されたリジェクト硬貨としてのバラ硬貨が集積される入金リジェクト部１３８、及びリジェクト選別部１３０から入金リジェクト部１３８にリジェクト硬貨としてのバラ硬貨を送る入金リジェクト用シュート１３１がそれぞれ設けられている。ここで、図２に示すように、操作者は筐体１１２の前面から入金リジェクト部１３８の内部にアクセス可能であり、入金リジェクト部１３８に送られたリジェクト硬貨としてのバラ硬貨を操作者は筐体１１２の前面から取り出すことができる。
【００５８】
また、図７に示すように、入金搬送部１２８において、硬貨の搬送方向におけるリジェクト選別部１３０の下流側には、入金識別部１２９により特定の任意の金種の硬貨であると識別されたバラ硬貨を選別する任意選別部１３４が設けられている。ここで、任意選別部１３４により選別される特定の任意の金種の硬貨とは、例えばバラ硬貨の包装処理において包装部１６０によって包装媒体により包装されることにより包装硬貨とされるべきバラ硬貨や、特定の金種の硬貨の計数処理において袋装着部に装着される貯留袋１７５（図５において二点鎖線で表示）に送られるべきバラ硬貨のことをいう。
【００５９】
また、図７に示すように、入金搬送部１２８において、硬貨の搬送方向における任意選別部１３４の更に下流側には、入金識別部１２９により各々の金種の硬貨であると識別されたバラ硬貨を選別する複数の金種別選別部１３６が設けられている。具体的には、複数の金種別選別部１３６として、硬貨の搬送方向における上流側から順に、５円硬貨を選別する５円硬貨選別部１３６ａ、１円硬貨を選別する１円硬貨選別部１３６ｂ、５０円硬貨を選別する５０円硬貨選別部１３６ｃ、１００円硬貨を選別する１００円硬貨選別部１３６ｄ、１０円硬貨を選別する１０円硬貨選別部１３６ｅ及び５００円硬貨を選別する５００円硬貨選別部１３６ｆが設けられている。ここで、リジェクト選別部１３０、任意選別部１３４及び５円硬貨選別部１３６ａは、ソレノイド等の電気的駆動機構によって強制的にバラ硬貨を分岐孔に落とし込ませる構成となっている。一方、１円硬貨選別部１３６ｂ、５０円硬貨選別部１３６ｃ、１００円硬貨選別部１３６ｄ及び１０円硬貨選別部１３６ｅは、小径硬貨から大径硬貨の順にバラ硬貨を径の大きさで選別して該当する分岐孔に落とし込ませる構成となっている。また、５００円硬貨選別部１３６ｆは、５円硬貨選別部１３６ａ、１円硬貨選別部１３６ｂ、５０円硬貨選別部１３６ｃ、１００円硬貨選別部１３６ｄ及び１０円硬貨選別部１３６ｅの各分岐孔に落とし込まれなかったバラ硬貨を５００円硬貨として当該５００円硬貨選別部１３６ｆに対応する分岐孔に落とし込ませる構成となっている。
【００６０】
また、図４及び図５に示すように、筐体１１２の内部において入金搬送部１２８の下方には入金一時保留部１４０が設けられている。入金一時保留部１４０は、任意選別部１３４により選別されたバラ硬貨が一時的に保留される任意一時保留部１４２と、各金種別選別部１３６により選別されたバラ硬貨が金種別に一時的に保留される金種別一時保留部１４４とを有している。ここで、任意一時保留部１４２は、その上部及び底部が開口した枠体から構成されている。また、金種別一時保留部１４４は、５円、１円、５０円、１００円、１０円、５００円の各金種に対応する保留領域１４４ａ、１４４ｂ、１４４ｃ、１４４ｄ、１４４ｅ、１４４ｆに区画された、その上部及び底部が開口した枠体から構成されている。また、任意一時保留部１４２及び金種別一時保留部１４４は互いに連結されており、これらの任意一時保留部１４２及び金種別一時保留部１４４は一体的に水平方向に移動する。また、任意一時保留部１４２や金種別一時保留部１４４の下方には板状の底部材１４６が設けられており、これらの任意一時保留部１４２や金種別一時保留部１４４の枠体の底部に設けられた開口が底部材１４６により選択的に閉止可能である。また、図４及び図５に示すように、入金一時保留部１４０は、任意一時保留部１４２及び金種別一時保留部１４４を水平方向（具体的には、図４における左右方向）に移動させる第１駆動機構１４５と、底部材１４６を水平方向（具体的には、図４における左右方向）に移動させる第２駆動機構１４７とを有している。
【００６１】
また、図４及び図５に示すように、筐体１１２の内部において入金一時保留部１４０の更に下方には、入金一時保留部１４０から送られたバラ硬貨を筐体１１２の外部に排出するための排出部１５０、入金一時保留部１４０から送られたバラ硬貨を金種毎に収納するとともに収納されているバラ硬貨を繰り出すことができる複数の収納繰出部１５２、入金一時保留部１４０の任意一時保留部１４２から送られたバラ硬貨を包装部１６０や後述する袋装着部に装着された貯留袋１７５に送るシュート機構１７０、及び入金一時保留部１４０の任意一時保留部１４２から送られたバラ硬貨が収納されるバラ硬貨一括収納箱１９８（図２参照、図４や図５では図示せず）がそれぞれ設けられている。
【００６２】
入金一時保留部１４０における金種別一時保留部１４４は、各金種別選別部１３６の分岐孔の真下かつ排出部１５０の真上の位置である第１位置と、各収納繰出部１５２の真上の位置である第２位置との間で図４における左右方向に移動可能である。また、底部材１４６は、第１位置にある金種別一時保留部１４４の底部の開口を塞ぐ第１位置と、第１位置にある金種別一時保留部１４４の底部の開口を開く第２位置との間で図４における左右方向に移動可能である。また、実施例１に係る硬貨入出金装置１１０が待機状態にあるときには金種別一時保留部１４４は第１位置に位置するとともに底部材１４６も第１位置に位置する。ここで、金種別一時保留部１４４が第１位置に位置するとともに底部材１４６が第１位置に位置しているときには、各金種別選別部１３６の分岐孔に落とし込まれたバラ硬貨は金種別一時保留部１４４の各保留領域１４４ａ〜１４４ｆに金種毎に一時的に保留される。そして、金種別一時保留部１４４の各保留領域１４４ａ〜１４４ｆにバラ硬貨が一時的に保留されている状態から第１駆動機構１４５により金種別一時保留部１４４が第１位置から第２位置に移動させられると、金種別一時保留部１４４の各保留領域１４４ａ〜１４４ｆの底部に設けられた開口が開くことにより各保留領域１４４ａ〜１４４ｆからバラ硬貨が自重により落下して各収納繰出部１５２の収納領域１５２ａ〜１５２ｆ（後述）に金種毎に送られ、各収納繰出部１５２の収納領域１５２ａ〜１５２ｆに金種毎に収納される。一方、金種別一時保留部１４４の各保留領域１４４ａ〜１４４ｆにバラ硬貨が一時的に保留されている状態から第２駆動機構１４７により底部材１４６が第１位置から第２位置に移動させられると、金種別一時保留部１４４の各保留領域１４４ａ〜１４４ｆの底部に設けられた開口が開くことにより各保留領域１４４ａ〜１４４ｆからバラ硬貨が自重により落下して排出部１５０に送られ、この排出部１５０に金種混合状態で集積される。
【００６３】
また、入金一時保留部１４０における任意一時保留部１４２は、第１駆動機構１４５による当該任意一時保留部１４２の移動方向（具体的には、図４における左右方向）に沿って並ぶ第１保留領域及び第２保留領域に区画されたものから構成されている。そして、金種別一時保留部１４４が第１位置に位置しているときには任意一時保留部１４２の第１保留領域が任意選別部１３４の分岐孔の真下に位置するとともに排出部１５０の真上に位置する。なお、このときに底部材１４６が第１位置に位置しているときには任意一時保留部１４２の第１保留領域の底部の開口が当該底部材１４６により塞がれ、任意選別部１３４の分岐孔に落とし込まれたバラ硬貨は任意一時保留部１４２の第１保留領域に一時的に保留される。また、金種別一時保留部１４４が第２位置に位置しているときには任意一時保留部１４２の第１保留領域がバラ硬貨一括収納箱１９８の真上に位置する。そして、任意一時保留部１４２の第１保留領域にバラ硬貨が一時的に保留されている状態から第１駆動機構１４５により金種別一時保留部１４４が第１位置から第２位置に移動させられると、任意一時保留部１４２の第１保留領域の底部に設けられた開口が開くことによりこの第１保留領域からバラ硬貨が自重により落下してバラ硬貨一括収納箱１９８に送られ、このバラ硬貨一括収納箱１９８に収納される。一方、任意一時保留部１４２の第１保留領域にバラ硬貨が一時的に保留されている状態から第２駆動機構１４７により底部材１４６が第１位置から第２位置に移動させられると、任意一時保留部１４２の第１保留領域の底部に設けられた開口が開くことによりこの第１保留領域からバラ硬貨が自重により落下して排出部１５０に送られ、当該排出部１５０に集積される。また、第１駆動機構１４５によって、入金一時保留部１４０における任意一時保留部１４２を、その第２保留領域が任意選別部１３４の分岐孔の真下に位置する第３位置に移動させることができる。ここで、任意一時保留部１４２が第３位置に位置しているときには、任意選別部１３４の分岐孔に落とし込まれたバラ硬貨は任意一時保留部１４２の第２保留領域に送られた後、この第２保留領域を通過してシュート機構１７０の上部シュート１７２（後述）に送られる。
【００６４】
図５等に示すように、複数の収納繰出部１５２の各々は、それぞれ、５円、１円、５０円、１００円、１０円、５００円の各金種に対応する収納領域１５２ａ、１５２ｂ、１５２ｃ、１５２ｄ、１５２ｅ、１５２ｆを有しており、これらの収納領域１５２ａ〜１５２ｆにバラ硬貨が金種別に収納される。より詳細には、各収納繰出部１５２の収納領域１５２ａ〜１５２ｆには、入金一時保留部１４０の金種別一時保留部１４４の各保留領域１４４ａ〜１４４ｆからバラ硬貨がそれぞれ送られる。また、各収納繰出部１５２において収納領域１５２ａ〜１５２ｆの底部には回転円盤等の硬貨繰出部１５２ｐがそれぞれ設けられており、各硬貨繰出部１５２ｐにより各収納繰出部１５２の収納領域１５２ａ〜１５２ｆからバラ硬貨が１枚ずつ繰り出される。また、各収納繰出部１５２の下方には水平方向に延びるコンベア１５４が設けられており、各硬貨繰出部１５２ｐにより各収納繰出部１５２の収納領域１５２ａ〜１５２ｆから繰り出されたバラ硬貨はコンベア１５４により搬送される。ここで、コンベア１５４には、当該コンベア１５４により搬送されるバラ硬貨の金種、真偽、正損、新旧、表裏、搬送状態等の識別を行う出金識別部１５５が設けられている。出金識別部１５５によるバラ硬貨の識別情報は後述する制御部３００に送られる。また、出金識別部１５５により識別されたバラ硬貨はコンベア１５４により出金用シュート１５８を介して出金箱１９０に送られるか、あるいは包装用シュート１５７を介して包装部１６０に送られる。
【００６５】
排出部１５０は、筐体１１２の前面から操作者が手前側に引き出し可能な返却箱１５０ａを有しており、入金一時保留部１４０における任意一時保留部１４２の第１保留領域や金種別一時保留部１４４の各保留領域１４４ａ〜１４４ｆから送られたバラ硬貨が金種混合状態で返却箱１５０ａに集積される。
【００６６】
バラ硬貨一括収納箱１９８は、筐体１１２の前面から操作者が手前側に引き出し可能であり、入金一時保留部１４０における任意一時保留部１４２の第１保留領域から送られたバラ硬貨が集積される。
【００６７】
図５に示すように、シュート機構１７０は、入金一時保留部１４０における任意一時保留部１４２の第２保留領域から送られたバラ硬貨が通過する上部シュート１７２と、この上部シュート１７２から分岐した貯留用シュート１７４及び包装用シュート１７６とを有する。上部シュート１７２から貯留用シュート１７４や包装用シュート１７６への分岐箇所には分岐部材１７８が設けられている。上部シュート１７２から分岐部材１７８により包装用シュート１７６に分岐させられたバラ硬貨は包装部１６０に送られる。一方、図５に示すように、貯留用シュート１７４の下流側端部に位置する排出側開口１７４ａは筐体１１２の前面に開口する。この排出側開口１７４ａの近傍には、図５において二点鎖線で示すような貯留袋１７５を筐体１１２の前面に装着させる袋装着部（図示せず）が設けられている。そして、袋装着部に貯留袋１７５が装着されているときには、上部シュート１７２から分岐部材１７８により貯留用シュート１７４に分岐させられたバラ硬貨は排出側開口１７４ａから貯留袋１７５に送られてこの貯留袋１７５に貯留される。
【００６８】
出金箱１９０は、筐体１１２の前面から操作者が手前側に引き出し可能であり、本実施例１に係る硬貨入出金装置１１０においてバラ硬貨の出金処理が行われる際に、各収納繰出部１５２の収納領域１５２ａ〜１５２ｆから繰り出されたバラ硬貨がコンベア１５４により出金用シュート１５８を介して出金箱１９０に送られる。また、出金箱１９０には、操作者が当該出金箱１９０を筐体１１２の前面から手前側に引き出す際に把持される取っ手１９０ａが設けられ、取っ手１９０ａを操作者が把持することにより出金箱１９０を筐体１１２から容易に引き出すことができる。また、出金箱１９０には図示しないロック機構が設けられており、このロック機構により出金箱１９０は筐体１１２の内部にロックされる。一方、ロック機構によるロックが解除されると、操作者は出金箱１９０を筐体１１２の前面から手前側に引き出すことができる。また、図４に示すように、出金箱１９０の底部には開口が設けられているとともに、この開口はシャッタ部材１９２により選択的に閉じられる。また、筐体１１２の下部には、出金リジェクト箱１５６と、出金箱１９０の底部に設けられた開口から出金リジェクト箱１５６にバラ硬貨を送る出金リジェクト用シュート１９４がそれぞれ設けられている。そして、本実施例１に係る硬貨入出金装置１１０においてバラ硬貨の出金処理が行われる際に、出金されるべきバラ硬貨の金種とは異なる金種のバラ硬貨が収納繰出部１５２の各収納領域１５２ａ〜１５２ｆから繰り出されて出金箱１９０に送られたり、収納繰出部１５２の各収納領域１５２ａ〜１５２ｆからのバラ硬貨の繰り出しエラーによって各収納領域１５２ａ〜１５２ｆから繰り出されたバラ硬貨の枚数が不確定となってしまったりした場合には、出金箱１９０の底部に設けられた開口がシャッタ部材１９２により開かれ、出金箱１９０に送られたバラ硬貨はこの出金箱１９０から出金リジェクト用シュート１９４を介して出金リジェクト箱１５６に送られる。
【００６９】
包装部１６０は、シュート機構１７０の包装用シュート１７６や包装用シュート１５７により当該包装部１６０に送られたバラ硬貨が集積されるとともに集積されたバラ硬貨を１枚ずつ繰り出す集積部としての回転円盤１６２と、回転円盤１６２により繰り出されたバラ硬貨を搬送するコンベア１６３と、コンベア１６３により搬送されたバラ硬貨が積層状態で集積されるとともに集積された所定の枚数（例えば、５０枚）のバラ硬貨を紙やフィルム等の包装媒体により包装する包装機構１６８とを有している。ここで、包装機構１６８は上方から見て仮想の正三角形の各頂点に位置する３本の包装ローラ１６８ａを有しており、各包装ローラ１６８ａの間の包装領域において所定枚数重積した重積硬貨が包装媒体により包装されることにより包装硬貨が作成される。図６に示すように、包装機構１６８により作成された包装硬貨はこの包装機構１６８から下方に排出される。また、包装機構１６８の下方には包装硬貨用シュート１６５及び横搬送部１６７が設けられており、包装機構１６８により作成された包装硬貨が当該包装機構１６８から下方に排出されると、この排出された包装硬貨は包装硬貨用シュート１６５を通って横搬送部１６７に送られ、この横搬送部１６７により包装硬貨搬送ユニット２１０に向かって搬送される。また、横搬送部１６７と包装硬貨搬送ユニット２１０との間には、横搬送部１６７から包装硬貨搬送ユニット２１０への包装硬貨の放出と放出規制とを切り換える切換部材１６９が設けられている。
【００７０】
また、図４等に示すように、包装部１６０においてコンベア１６３の下方には排出シュート１６４が設けられており、包装機構１６８により所定の枚数（例えば、５０枚）のバラ硬貨を包装する際に所定の枚数に満たない端数分のバラ硬貨はコンベア１６３から排出シュート１６４に送られてこの排出シュート１６４により出金リジェクト箱１５６に送られる。また、出金リジェクト箱１５６の近傍には、端数分のバラ硬貨を収納する端数硬貨収納箱１９７が設けられているとともに、この出金リジェクト箱１５６には、排出シュート１６４から送られた端数分のバラ硬貨を出金リジェクト箱１５６及び端数硬貨収納箱１９７の何れかに分岐させる分岐部材１９６が設けられている。このような分岐部材１９６が設けられていることにより、コンベア１６３から排出シュート１６４に送られた端数分のバラ硬貨を出金リジェクト箱１５６及び端数硬貨収納箱１９７のうち何れかに収納させることができる。
【００７１】
図６に示すように、包装硬貨搬送ユニット２１０は、筐体１１２の内部における上部及び下部にそれぞれ設けられた２つのプーリ２１２と、これらの２つのプーリ２１２に掛け渡された無端状の循環ベルト２１４と、２つのプーリ２１２のうち一方のプーリ２１２を回転駆動させることにより循環ベルト２１４を図６における時計回りの方向及び反時計回りの方向に循環移動させる駆動モータ（図示せず）とを有している。また、図６に示すように、循環ベルト２１４には、包装硬貨搬送ユニット２１０により搬送されるべき包装硬貨が引っ掛けられる突起２１６が等間隔で複数設けられている。ここで、各突起２１６は、当該突起２１６と包装硬貨とが接する面が循環ベルト２１４の延びる方向（すなわち、図６における上下方向）に対して所定の角度（例えば、６０°）をなして傾斜する方向に当該循環ベルト２１４から突出して形成されている。このように各突起２１６が循環ベルト２１４の延びる方向に対して傾斜していることにより、突起２１６に引っ掛けられた包装硬貨はその自重により突起２１６上で循環ベルト２１４側に寄せられる。そして、循環ベルト２１４が図６における反時計回りの方向に循環移動すると、包装硬貨は突起２１６に引っ掛けられた状態で（すなわち、突起２１６上で循環ベルト２１４側に寄せられた状態で）循環ベルト２１４の移動に合わせて図６における反時計回りの方向に沿って搬送される。また、循環ベルト２１４は、所定量だけ移動すると所定時間だけ停止し、その後再び所定量だけ移動するような動作が繰り返し行われる間欠移動を行うよう、駆動モータにより駆動される。
【００７２】
また、図６に示すように、筐体１１２の内部において包装硬貨搬送ユニット２１０の近傍には、包装硬貨の収納を行う包装硬貨収納ユニット２００が設けられている。ここで、包装硬貨収納ユニット２００は、同一金種の複数の包装硬貨を一列に収納する複数（図６に示す例では６つ）の収納トレイ２４０を有しており、各収納トレイ２４０には包装硬貨が金種別に収納される。各収納トレイ２４０は水平方向に対して傾斜しており、収納トレイ２４０に収納されている包装硬貨は、包装硬貨搬送ユニット２１０に近い側である収納トレイ２４０の最前部に向かって転がる。また、各収納トレイ２４０は鉛直方向に沿って並ぶよう配置されている。また、各収納トレイ２４０に収納される包装硬貨の金種は収納トレイ２４０毎に予め設定されている。
【００７３】
また、各収納トレイ２４０は、図６に示す位置から包装硬貨搬送ユニット２１０に向かって（すなわち、図６における左方向に）移動可能であり、各収納トレイ２４０が包装硬貨搬送ユニット２１０における循環ベルト２１４の近傍の位置まで進出したときに、各収納トレイ２４０に収納されている包装硬貨が循環ベルト２１４の突起２１６に１つずつ受け渡される。また、各収納トレイ２４０の前端部分（すなわち、図６における左端部分）と、包装硬貨搬送ユニット２１０との間には、各収納トレイ２４０に対応して複数のストッパ部分２０４ａが設けられたストッパ機構２０４が上下方向に移動可能に配置されている。このストッパ機構２０４が下降位置にあるときには、包装硬貨搬送ユニット２１０に向かって進出した収納トレイ２４０の最前部の包装硬貨にストッパ部分２０４ａが接触してこの最前部の包装硬貨が循環ベルト２１４の突起２１６に受け渡されない。この場合には、循環ベルト２１４により搬送される包装硬貨が突起２１６から収納トレイ２４０の最前部に受け渡され、この収納トレイ２４０に収納される。一方、ストッパ機構２０４が上昇位置にあるときには、包装硬貨搬送ユニット２１０に向かって進出した収納トレイ２４０の最前部の包装硬貨にストッパ部分２０４ａが接触せず、この最前部の包装硬貨が循環ベルト２１４の突起２１６に受け渡される。
【００７４】
また、筐体１１２の前面において包装硬貨搬送ユニット２１０の前部域には、包装硬貨出金部２３０、包装硬貨一括収納箱２３２及び包装硬貨投出部２３６がそれぞれ設けられている。また、包装硬貨出金部２３０、包装硬貨一括収納箱２３２及び包装硬貨投出部２３６の各々に対応して、包装硬貨搬送ユニット２１０の循環ベルト２１４により搬送される包装硬貨を選択的に包装硬貨出金部２３０、包装硬貨一括収納箱２３２及び包装硬貨投出部２３６にそれぞれ分岐させる分岐部材２１８、２１９、２２０が設けられている。また、分岐部材２２０により包装硬貨搬送ユニット２１０から分岐させられた包装硬貨を包装硬貨投出部２３６に送る包装硬貨投出用シュート２３８が設けられている。ここで、図２に示すように、操作者は筐体１１２の前面から包装硬貨出金部２３０にアクセス可能であり、包装硬貨出金部２３０に送られた包装硬貨を操作者は筐体１１２の外部に取り出すことができる。また、図２に示すように、操作者は筐体１１２の前面から包装硬貨投出部２３６にアクセス可能であり、分岐部材２２０により包装硬貨搬送ユニット２１０の循環ベルト２１４から分岐させられて包装硬貨投出用シュート２３８により包装硬貨投出部２３６に送られた包装硬貨を操作者は筐体１１２の外部に取り出すことができる（具体的には、包装硬貨投出部２３６の下方に箱状の容器を置いて、投出される包装硬貨をこの容器で受け入れる）。また、循環ベルト２１４を図６における時計回りの方向に循環移動させた場合には、横搬送部１６７により包装硬貨搬送ユニット２１０に送られた包装硬貨をすぐに包装硬貨投出用シュート２３８経由で包装硬貨投出部２３６に送ることができる。
【００７５】
また、図２に示すように、筐体１１２の前面側における右側部分には開閉可能な前扉１１４が設けられており、当該前扉１１４を開くことにより筐体１１２内の包装硬貨収納ユニット２００にアクセスすることができる。より詳細には、前扉１１４には上述した包装硬貨出金部２３０、包装硬貨一括収納箱２３２、包装硬貨投出部２３６及び包装硬貨搬送ユニット２１０が取り付けられており、前扉１１４を開いたときにはこれらの包装硬貨出金部２３０、包装硬貨一括収納箱２３２、包装硬貨投出部２３６及び包装硬貨搬送ユニット２１０も前扉１１４と一体的に移動する。このことにより、操作者は前扉１１４を開くと包装硬貨収納ユニット２００にアクセスして収納トレイ２４０を取り出すことにより収納トレイ２４０に包装硬貨を収納したり収納トレイ２４０から包装硬貨を取り出したりすることができる。
【００７６】
また、図２に示すように、筐体１１２の前面側における左側部分にも開閉可能な前扉１１５が設けられている。また、筐体１１２の内部において前扉１１５の裏側には複数の引出ユニットが設けられており、操作者は前扉１１５を開くことにより各引出ユニットを筐体１１２の手前側に引き出すことができる。また、各引出ユニットにはロック機構２５０（図９参照）が設けられており、当該ロック機構２５０は対応する引出ユニットを筐体１１２の内部にロックする。
【００７７】
＜貨幣入出金機の機能的な内部構成＞
次に、図２に示した貨幣入出金機１の機能的な内部構成を説明する。図９は、図２に示した貨幣入出金機１の機能ブロック図である。貨幣入出金機１には、当該貨幣入出金機１の各構成部材の制御を行う制御部３００が設けられている。より詳細には、図９に示すように、制御部３００には、紙幣入出金装置１０の投入部１４、繰出部１６、搬送部１８、識別部２０、表裏反転部２２、入金一時保留部３０（具体的には、入金一時保留部３０に設けられたステージ３０ａの駆動機構（図示せず）や紙幣繰出繰入部３０ｂ）、混合バラ紙幣収納部３２（具体的には、混合バラ紙幣収納部３２に設けられたステージ３２ａの駆動機構（図示せず）や紙幣繰出繰入部３２ｂ）、各金種別バラ紙幣収納部３４（具体的には、各金種別バラ紙幣収納部３４に設けられたステージ３４ａの駆動機構（図示せず）や紙幣繰出繰入部３４ｂ）、帯封部４２、アーム機構４４、帯封紙幣揚送部４６、帯封紙幣搬送部６０、判別部６２、各帯封紙幣収納部７０（具体的には、各帯封紙幣収納部７０に設けられたステージ７０ａの駆動機構（図示せず））、引出ユニット１３に設けられたロック機構５０、各シャッター２４ａ、４８ａを開閉させるシャッター駆動部２４ｂ、４８ｂ等がそれぞれ接続されている。そして、識別部２０によるバラ紙幣の識別結果に係る信号や判別部６２による帯封紙幣の金種の判別結果に係る情報等が制御部３００に送られるとともに、制御部３００は紙幣入出金装置１０の各構成部材に指令信号を送ることによりこれらの構成部材の動作を制御する。
【００７８】
また、図９に示すように、制御部３００には、硬貨入出金装置１１０の入金繰出部１２０、入金搬送部１２８、入金識別部１２９、各選別部１３０、１３４、１３６、入金一時保留部１４０、各収納繰出部１５２、コンベア１５４、出金識別部１５５、包装部１６０、包装硬貨収納ユニット２００、包装硬貨搬送ユニット２１０、各分岐部材２１８、２１９、２２０、ロック機構２５０等がそれぞれ接続される。入金識別部１２９や出金識別部１５５によるバラ硬貨の識別情報はこれらの入金識別部１２９や出金識別部１５５から制御部３００に送られる。また、制御部３００は、硬貨入出金装置１１０の各構成部材に指令の信号を送ることによりこれらの構成部材の動作を制御する。
【００７９】
また、図９に示すように、制御部３００には、表示操作部３０２、印字部３０４、記憶部３０６及び通信インターフェース部３０８がそれぞれ接続されている。図２に示すように、表示操作部３０２は、例えば硬貨入出金装置１１０の筐体１１２の上部に設けられたタッチパネル等からなり、紙幣入出金装置１０や硬貨入出金装置１１０における紙幣や硬貨の処理状況や、紙幣入出金装置１０や硬貨入出金装置１１０に収納されている紙幣や硬貨の在高等の情報を表示する。また、操作者はこの表示操作部３０２により制御部３００に様々な指令を入力することができる。また、図２に示すように、印字部３０４は、紙幣入出金装置１０や硬貨入出金装置１１０における紙幣や硬貨の処理状況や、紙幣入出金装置１０や硬貨入出金装置１１０に収納されている紙幣や硬貨の在高等の情報をレシート等に印刷するプリンタ等から構成されている。また、記憶部３０６は、紙幣入出金装置１０や硬貨入出金装置１１０における紙幣や硬貨の処理履歴や、紙幣入出金装置１０や硬貨入出金装置１１０に収納されている紙幣や硬貨の在高等の情報を記憶する。また、制御部３００は通信インターフェース部３０８を介して上位端末等の外部装置３１０に対して様々な信号の送受信を行うことができる。
【００８０】
ここで、記憶部３０６は、上記のデータに加えて操作画面データ３０６ａ、ダイアログデータ３０６ｂ、取扱説明書データ３０６ｃ及びユーザ設定データ３０６ｄを記憶する。また、制御部３００は、表示制御部３００ａ及び表示用データ変更部３００ｂを有する。
【００８１】
操作画面データ３０６ａは、表示操作部３０２に表示する複数の操作画面に係るデータである。ダイアログデータ３０６ｂは、操作者に対して特定のメッセージを報知するため、操作画面に重畳表示するダイアログに係るデータである。取扱説明書データ３０６ｃは、電子取扱説明書に係るデータである。ユーザ設定データ３０６ｄは、操作画面、ダイアログ、取扱説明書などの表示のカスタマイズに係るデータである。
【００８２】
表示制御部３００ａは、操作画面データ３０６ａ、ダイアログデータ３０６ｂ、取扱説明書データ３０６ｃ及びユーザ設定データ３０６ｄを用い、表示操作部３０２への表示制御を行う処理部である。表示用データ変更部３００ｂは、操作画面、ダイアログ、取扱説明書などの表示のカスタマイズに係る処理を行う。
【００８３】
具体的には、表示制御部３００ａは、既に説明したように、「取扱説明書から操作画面への移行制御」を行うことができる。この他、表示制御部３００ａ及び表示用データ変更部３００ｂは、「メインメニューのカスタマイズ」、「操作画面の検索」、「操作画面と電子取扱説明書の並列表示と連動」、「電子取扱説明書のショートカット登録」、「ダイアログからの電子取扱説明書の表示」、「用語の置き換え」、「取扱説明書へのメモの登録」、「取扱説明書への項目追加」、「取扱説明書の表示位置の記憶」などにより、貨幣入出金機１の操作性を向上する。以下、これらの処理について具体的に説明する。
【００８４】
＜取扱説明書から操作画面への移行制御に係る処理手順＞
図１０は、図１に示した取扱説明書から操作画面への移行制御に係る処理手順を示すフローチャートである。図１０に示すように、表示制御部３００ａは、まず、取扱説明書ボタンが操作されたか否かを判定する（ステップＳ１０１）。
【００８５】
取扱説明書ボタンが操作されたならば（ステップＳ１０１；Ｙｅｓ）、表示制御部３００ａは、取扱説明書を表示操作部３０２に表示する（ステップＳ１０５）。表示制御部３００ａは、表示した取扱説明書において、操作画面へのリンクが選択されたか否かを判定する（ステップＳ１０６）。操作画面へのリンクが選択されなければ（ステップＳ１０６；Ｎｏ）、表示制御部３００ａは、ステップＳ１０５に移行し、取扱説明書の表示を継続する（ステップＳ１０５）。なお、ステップＳ１０５の取扱説明書の表示は、取扱説明書内での項目の移動や、語句の検索による表示内容の変更を含む。
【００８６】
表示制御部３００ａは、操作画面へのリンクが選択されたならば（ステップＳ１０６；Ｙｅｓ）、対応する操作画面を表示操作部３０２に表示する（ステップＳ１０７）。
【００８７】
ステップＳ１０７の後、若しくは取扱説明書ボタンが操作されていない場合（ステップＳ１０１；Ｎｏ）、表示制御部３００ａは、操作画面での操作を受け付けたか否かを判定する（ステップＳ１０２）。操作画面での操作を受け付けたならば（ステップＳ１０２；Ｙｅｓ）、表示制御部３００ａは、受け付けた操作に対応する処理を実行する（ステップＳ１０３）。この処理には、木構造状の操作画面を辿って次のメニューを表示する処理や、入出金などの貨幣入出金機の動作を制御する処理を含む。
【００８８】
ステップＳ１０３の後、若しくは操作画面での操作を受け付けていない場合（ステップＳ１０２；Ｎｏ）、表示制御部３００ａは操作を終了するか否かを判定する（ステップＳ１０４）。この判定では、終了を明示する入力を受け付けたとき、入力が無いまま所定時間が経過したとき、操作に基づいて開始した動作が完了したときなどに操作を終了すると判定すればよい。
【００８９】
表示制御部３００ａは、操作を終了しないと判定した場合には（ステップＳ１０４；Ｎｏ）、ステップＳ１０１に移行する。そして、操作を終了すると判定した場合には（ステップＳ１０４；Ｙｅｓ）、待機用の操作画面を表示して処理を終了する。
【００９０】
＜メインメニューのカスタマイズ＞
次に、メインメニューのカスタマイズについて説明する。図１１は、メインメニューのカスタマイズについての説明図である。図１１（ａ１）は、待機状態で表示操作部３０２に表示される操作画面である。図１１（ａ１）に示した操作画面において、在高が表示されている画面領域に操作者が触れると、表示制御部３００ａは、図１１（ａ２）に示す操作画面のメインメニューを表示操作部３０２に表示制御する。
【００９１】
ここで、図１１（ａ２）に示したメインメニューは、表示用データ変更部３００ｂにより変更が行われており「損券・損貨」の項目が追加されている。このため、操作者はメインメニューから図１１（ａ３）に示す「損券・損貨」の操作画面に移行することができる。
【００９２】
図１２は、カスタマイズによる操作画面の移行についての説明図である。図１２（ａ）は、操作画面の木構造状を示している。図１２（ａ）に示すように、メインメニューの直下には、「入金」、「出金」などの項目が配置されている。そして、「損券・損貨」の入金に係る操作画面は、「入金」の下位に配置されており、メインメニューから「損券・損貨」の操作画面までには複数の操作画面を辿る必要がある。
【００９３】
操作者が「損券・損貨」の操作画面を高い頻度で利用する場合に、毎回メインメニューから「損券・損貨」までの複数階層を辿るのは非効率である。そこで、表示用データ変更部３００ｂは、メインメニューに表示する項目を変更することで、操作者の利便性を向上している。図１２（ａ）に示した例では、メインメニューに「損券・損貨」の項目を追加しており、この項目を選択することで直接「損券・損貨」の操作画面に移行することができる。
【００９４】
メインメニューに対する変更は、項目の追加に限定されず、既存の項目の削除、表示順序の変更なども可能である。表示用データ変更部３００ｂは、メインメニューに対する変更の内容をユーザ設定データ３０６ｄに格納する。そして、表示制御部３００ａは、操作画面のメインメニューを表示する際に、ユーザ設定データ３０６ｄを参照して表示する項目を定める。
【００９５】
また、このようにしてカスタマイズしたメインメニューと、カスタマイズ前のメインメニューとを任意に切り替えることができるように構成してもよい。図１２（ｂ）は、メインメニューの切り替え画面の一例である。図１２（ｂ）では、「お客様向けメインメニュー」と「出荷時メインメニュー」とをチェックボックスで切替可能としている。
【００９６】
＜操作画面の検索＞
次に、操作画面の検索について説明する。図１３は、操作画面の検索についての説明図である。図１３（ａ１）は、待機状態で表示操作部３０２に表示される操作画面である。図１３（ａ１）に示した操作画面では、図１（ａ１）に示した操作画面に加え、メニュー検索ボタンを設けている。
【００９７】
操作者がメニュー検索ボタンに触れると、表示制御部３００ａは、図１３（ａ２）に示すように、検索用の操作画面を表示操作部３０２に表示制御する。この検索用の操作画面には、検索用入力領域、検索ボタン、検索結果の表示領域が配置される。操作者が検索用入力領域に語句を入力して検索を実行すると、表示制御部３００ａは、入力された語句に対応する操作画面の候補を検索して表示制御する。図１３（ａ２）は、「損券  入金」を入力して検索を実行した状態を示している。このため、図１３（ａ３）では、「入金」、「計数開始」、「損券・損貨」などの検索結果が表示されている。この操作画面の検索結果は、該操作画面へのリンク情報を有している。このため、検索結果から所望の操作画面に移行することができる。
【００９８】
例えば、図１３（ａ３）で「損券・損貨」を選択すれば、図１３（ａ４）に示す「損券・損貨」の操作画面に移行することができる。このように、操作画面の検索と検索結果への移動を可能とすることで、木構造状の操作画面を辿ることなく所望の操作画面に移行することができ、貨幣入出金機１の操作性は大きく向上する。
【００９９】
なお、操作者について認証を行えば、操作者の権限や担当業務に合わせて検索結果の表示や操作画面への移行を制御できる。例えば、操作者の権限で操作可能な操作画面のみを検索結果として表示することで、権限外での操作を防止することができる。
【０１００】
＜操作画面と電子取扱説明書の並列表示と連動＞
次に、操作画面と電子取扱説明書の並列表示と連動について説明する。図１４は、操作画面と電子取扱説明書の並列表示と連動についての説明図である。図１４（ａ１）では、表示制御部３００ａは、表示操作部３０２の表示領域を左右に２分割し、左側の表示領域に取扱説明書を表示し、右側の表示領域に操作画面を表示している。
【０１０１】
このように、取扱説明書と操作画面を並列表示することで、操作者は、取扱説明書を確認しつつ、操作を行うことができる。また、表示制御部３００ａは、操作画面に対して行われた操作に連動して、取扱説明書の表示項目を追従させる。このため、常にその時点の操作画面に対応した取扱説明書が表示されることとなり、操作性の向上が実現される。
【０１０２】
図１４（ａ１）に示した例では、取扱説明書は「３．１４損券入金」の「手順１．券種選択」と「手順２．損券投入」を表示し、操作画面はこれらの操作に対応する操作画面となっている。その後、操作が進行し、図１４（ａ２）に示すように、投入した損券の計上を行う操作画面に移行したならば、取扱説明書も操作画面に連動して追従し、「手順５．計上」を表示することになる。
【０１０３】
このような並列表示を行うか否かについては、例えばユーザ設定データ３０６ｄに設定を格納しておけばよい。また、初めて表示された操作画面については取扱説明を表示する、などのようにそれまでの操作履歴を利用して並列表示を行うか否かを切り替えるように構成してもよい。
【０１０４】
＜電子取扱説明書のショートカット登録＞
次に、電子取扱説明書のショートカット登録について説明する。図１５は、電子取扱説明書のショートカット登録についての説明図である。表示用データ変更部３００ｂは、取扱説明書の任意の項目に対するリンク情報をショートカットとして生成することができる。このショートカットは、ユーザ設定データ３０６ｄに格納されており、表示操作部３０２に一覧表示することが可能である。
【０１０５】
図１５（ａ１）は、取扱説明書のうち、「損券入金の操作説明」の項目を表示した状態を示している。この状態でショートカット登録操作が行われると、表示用データ変更部３００ｂは、「損券入金の操作説明」の項目へのリンク情報をショートカットとして生成し、ユーザ設定データ３０６ｄに格納する。
【０１０６】
その後、ショートカットの一覧表示を行えば、図１５（ａ２）に示すように、「損券入金の操作説明」に対応するショートカットが表示されるので、操作者はこのショートカットを選択することで簡易に電子取扱説明書の「損券入金の操作説明」の項目を参照することができる。
【０１０７】
このようにショートカット利用すれば、参照頻度の高い項目をすぐに表示することができるため、操作性が向上する。なお、ショートカットは操作者が登録する他、予め登録した状態で出荷することも可能である。また、ショートカットは、一覧表示した状態で削除を指定することにより、個別に削除することができる。
【０１０８】
＜ダイアログからの電子取扱説明書の表示＞
次に、ダイアログからの電子取扱説明書の表示について説明する。図１６は、ダイアログからの電子取扱説明書の表示についての説明図である。図１６（ａ１）は、操作画面のメインメニューであり、「入金」の項目が選択されている。
【０１０９】
このように「入金」の項目が選択された場合に、正常に処理が可能な状態であれば、入金の操作画面が表示されるのであるが、貨幣入出金機１の状態によってはダイアログを表示し、続行するか否かの選択を求めるケースがある。
【０１１０】
図１６（ａ２）では、「紙幣部が収納中のため、一時保留部が２００枚制限になります。しばらく待つと、通常の入金が可能です。」とのメッセージにより貨幣入出金機１の状態を報知し、「続行」と「取消」のいずれかを選択させるダイアログを例示している。この状態は、直前の取引において入金された紙幣が入金一時保留部３０内に集積（保留）されているため、今回の取引で入金して入金一時保留部３０に保留可能な枚数が２００枚に制限された状態である。しばらく待って、入金一時保留部３０内の紙幣が金種別バラ紙幣収納部３４等へ振り分ける処理が終了すれば、枚数制限が解除される。
【０１１１】
しかしながら、ダイアログのメッセージのみでは操作者にとって情報が不足し、適正な判断ができない場合がある。そこで、表示制御部３００ａは、ダイアログのメッセージに対する選択操作（具体的には、「？取扱説明書」ボタンを押下する操作）が行われた場合に、ダイアログに対応する取扱説明書の項目を表示する。
【０１１２】
具体的には、図１６（ａ３）に示すようにメッセージ部分に対する選択操作が行われたならば、表示制御部３００ａは、図１６（ｂ１）に示すように取扱説明書の表示を行う。図１６（ｂ１）では、ダイアログのメッセージについての解説と、「続行」や「取消」を選択したときにどのような動作が行われるかを記載した項目を表示している。具体的には、「続行」が選択された場合は上限が２００枚に制限された入金処理を実行でき、「取消」が選択された場合は入金処理の選択そのものが取り消される旨が表示される。
【０１１３】
操作者は、図１６（ｂ１）に示した取扱説明書にてダイアログについての情報を得た後、「戻る」ボタンを操作することで図１６（ａ３）のダイアログに戻り、操作を継続することができる。なお、「？取扱説明書」ボタンの押下によって表示される情報（図１６（ｂ１）において表示される情報）が、図１６（ａ２）に示した段階から表示されると、情報量が多くなりすぎて、操作手順を理解している操作者にとっては煩わしい画面となり、慣れていない操作者にとっては内容を理解しにくい画面となるという問題が生じる。
【０１１４】
＜用語の置き換え＞
次に、操作画面、取扱説明書及びダイアログにおける用語の置き換えについて説明する。貨幣入出金機１が導入された金融機関などでは、独自の用語を使用している場合があり、操作者が慣れ親しんだ用語と操作画面、取扱説明書及びダイアログで使用される用語とが不一致となる場合がある。このような用語の不一致は、操作ミスの原因や、取扱説明書を参照しても所望の項目が見つからないといった事態を引き起こす要因となる。
【０１１５】
そこで、表示用データ変更部３００ｂは、操作画面、取扱説明書及びダイアログにおける用語を操作者が運用で用いている用語に置き換え可能としている。図１７は、用語の置き換えについての説明図である。
【０１１６】
図１７では、出荷時のダイアログ（すなわち、標準用語によるダイアログ）の一例として「紙幣部が収納中のため、一時保留部が２００枚制限になります。しばらく待つと、通常の入金が可能です。」とのメッセージとともに「続行」ボタン及び「取消」ボタンを表示するダイアログを示している。
【０１１７】
また、図１７では、用語設定のデータを示している。用語設定のデータは、ユーザ設定データ３０６ｄに含まれ、出荷時の用語と置き換え後の用語との対応関係を示すデータである。上記のダイアログに含まれる用語として、「紙幣部」、「収納中」、「一時保留部」、「通常の入金」があるが、出荷時点では置き換えが行われていないので、置き換え後の用語は全て「−」との表示により、出荷時点の用語を使用することを示している。
【０１１８】
出荷後、所定の用語設定操作を行うことで、「紙幣部」を「紙幣収納部」に置き換え、「通常の入金」を「制限のない入金」に置き換えると、この対応関係が用語設定としてユーザ設定データ３０６ｄに登録される。そのため、置き換え設定後のメッセージは「紙幣収納部が収納中のため、一時保留部が２００枚制限になります。しばらく待つと、制限のない入金が可能です。」に変更される。
【０１１９】
このように表示用データ変更部３００ｂが用語設定を行うと、表示制御部３００ａは、他の操作画面、取扱説明書及びダイアログにおいても同様に用語の置き換えを適用する。このため、操作画面、取扱説明書及びダイアログにおける用語の統一は維持される。
【０１２０】
さらに、１つの用語について置き換えの設定を行った場合には、関連する用語についても併せて置き換えを行うことが可能である。具体的には、用語毎に関連用語を事前登録しておき、関連用語を含めて置換することになる。
【０１２１】
このような関連用語の登録により、例えば「硬貨投入口」を「コイン投入口」と置き換えた場合に、「硬貨収納部」を「コイン収納部」に、「硬貨返却口」を「コイン返却口」に自動的に置き換えることが可能となる。
【０１２２】
＜取扱説明書へのメモの登録＞
次に、取扱説明書へのメモの登録機能について説明する。図１８は、取扱説明書へのメモの登録についての説明図である。表示用データ変更部３００ｂは、取扱説明書に操作者によるメモの登録を可能としている。登録されたメモは例えばユーザ設定データ３０６ｄに格納することが好適である。登録されたメモは、登録時に指定された位置に表示される他、表示操作部３０２に一覧表示することが可能である。
【０１２３】
図１８（ａ１）は、取扱説明書のうち、「損券入金の操作説明」の項目を表示した状態を示している。操作者は、操作上の注意事項等を追加したい場合に、表示された取扱説明書の任意の位置を指定して任意の文章を登録する、メモ登録操作を行うことができる。メモ登録操作が行われると、表示用データ変更部３００ｂは、図１８（ａ２）に示すようにメモの入力領域を表示する。
【０１２４】
操作者は、表示された入力領域に任意の文字列を入力し、登録を実行することができる。図１８（ａ３）では、「損券の入金時には必ず確認」との文字列が登録された状態を示している。このようにメモを登録すると、以降、取扱説明書の「損券入金の操作説明」の項目を表示する場合に、登録時と同様にメモの表示が行われる。
【０１２５】
また、図１８（ｂ１）に示すように、登録したメモは一覧表示が可能である。この一覧表示でメモが選択され、取扱説明書表示のボタンが操作されたならば、表示制御部３００ａは、対応する項目を表示する。例えば、「損券の入金時には必ず確認」とのメモが選択された場合には、このメモに対応する項目を表示する。すなわち、図１８（ａ３）に示す「損券入金の操作説明」の項目が表示されることになる。
【０１２６】
また、一覧表示でメモが選択され、削除のボタンが操作されたならば、表示用データ変更部３００ｂは、当該メモを削除する。また、メモの登録時に保持期間を設定可能としてもよい。保持期間を設定したメモについては、保持期間の経過時に自動で削除するのである。なお、メモの登録時に保持期間を設定しなければ、操作者が削除するまでメモは保持されることになる。更には、登録されたメモを、登録した操作者本人がログインした場合にのみ表示するか、全ての操作者に対して表示するか、設定できるようにしてもよい。
【０１２７】
＜取扱説明書への項目追加＞
次に、取扱説明書への項目の追加機能について説明する。図１９は、取扱説明書への項目の追加についての説明図である。表示用データ変更部３００ｂは、取扱説明書に操作者による項目の登録を可能としている。追加された項目は例えばユーザ設定データ３０６ｄに格納することが好適である。また、取扱説明書データ３０６ｃを更新するようにしてもよい。
【０１２８】
図１９（ａ１）は、取扱説明書の追加項目に関する画面例である。図１９（ａ１）に示した画面では追加された項目が一覧表示されるとともに「追加」ボタンと「終了」ボタンが表示される。
【０１２９】
図１９（ａ１）に示した画面で「追加」ボタンが操作されたならば、表示用データ変更部３００ｂは、図１９（ａ２）に示す登録用画面を表示する。登録用画面では、タイトルと内容の入力用の領域が設けられ、「登録」ボタンと「終了」ボタンが表示される。
【０１３０】
操作者が登録用画面でタイトルと内容に任意の文字列を入力し、「登録」ボタンを操作すると、表示用データ変更部３００ｂは、入力された内容をユーザ設定データ３０６ｄに格納する。図１９（ａ２）では、タイトルに「取扱説明書の追加」が入力され、内容に「取扱説明書には、お客様自身が項目を追加することができます。・・・・・」が入力された状態を示している。
【０１３１】
取扱説明書の項目が追加されたならば、以降、表示制御部３００ａが取扱説明書を表示制御する場合には、追加された項目も表示制御の対象となる。図１９（ａ３）は、追加された項目を含む取扱説明書の表示例である。具体的には、左側の目次に「９．１  取扱説明書の追加」が入力されており、この項目を選択すると、右側に「９．１  取扱説明書の追加  取扱説明書には、お客様自身が項目を追加することができます。・・・・・」との表示が行われている。
【０１３２】
このように、取扱説明書に追加された項目は、出荷時の取扱説明書と同様に表示制御される。なお、追加した項目を削除することも可能である。例えば、追加された項目を一覧表示し、対象となる項目を選択して削除に対応する操作を行うことで、対象となる項目を削除することができる。また、登録時に保持期間を設定し、保持期間を超過した場合に自動的に削除することもできる。また、追加を行った操作者の権限に基づいて、追加された項目に保持期限を設定するか否かを切り替えてもよい。さらに、追加を行った操作者に関する情報を併せて保持し、表示可能としてもよい。
【０１３３】
＜取扱説明書の表示位置の記憶＞
次に、取扱説明書の表示位置の記憶について説明する。図２０は、取扱説明書の表示位置の記憶についての説明図である。図２０（ａ１）は、入金に係る操作画面であり、この操作画面で取扱説明書ボタンが操作されると、表示制御部３００ａは、図２０（ｂ１）に示すように、入金に係る項目の先頭部分を表示する（１）。
【０１３４】
図２０（ｂ２）は、図２０（ｂ１）に示した状態から操作者が取扱説明書の項目を読み進め（２）、「３．１６  他店券入金」を表示した状態を示している。
【０１３５】
図２０（ｂ２）に示した状態から操作画面に移行するとき（３）、表示制御部３００ａは、取扱説明書の最終の表示位置を記憶する。そして、操作画面から取扱説明書の表示に移行するときには、表示制御部３００ａは、記憶した最終の表示位置に対応する項目を表示制御する（４）。
【０１３６】
このため、操作画面から取扱説明書の表示に移行する度に、初期位置（目次や先頭部分）が表示されてから目的の位置まで移動させるといった煩わしさを解消し、操作性を向上することができる。なお、操作画面で所望の操作が終了し、図２０（ａ２）に示す待機状態の操作画面に移行したとき（５）に、記憶した最終の表示位置は消去する。また、最終の表示位置を記憶して表示制御を行うか否かについては、任意に切り替え可能とすることが望ましい。
【０１３７】
上述してきたように、本実施例に係る貨幣入出金機１は、複数の操作画面に係る操作画面データ３０６ａと、利用者により操作画面の参照が容易な電子取扱説明書に係る取扱説明書データ３０６ｃとを記憶部３０６に格納し、表示操作部３０２に操作画面や取扱説明書に係る表示制御を行うので、利用者による操作性を高めることができる。
【０１３８】
具体的には、貨幣入出金機１は、操作画面データ３０６ａ及び取扱説明書データ３０６ｃを用い、「取扱説明書から操作画面への移行制御」、「メインメニューのカスタマイズ」、「操作画面の検索」、「操作画面と電子取扱説明書の並列表示と連動」、「電子取扱説明書のショートカット登録」、「ダイアログからの電子取扱説明書の表示」、「用語の置き換え」、「取扱説明書へのメモの登録」、「取扱説明書への項目追加」、「取扱説明書の表示位置の記憶」などを実現することで、貨幣入出金機１の操作性を向上する。
【０１３９】
なお、上述の実施例では、金融機関のバックヤードなどで出納機として用いられる貨幣入出金機に本発明を適用する場合を例示したが、本発明はこれに限定されるものではない。本発明は、表示操作部に操作画面を表示する各種の貨幣処理装置において広く適用可能である。
【０１４０】
また、上述の各実施例で図示した各構成は機能概略的なものであり、必ずしも物理的に図示の構成であることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１４１】
以上のように、本発明に係る貨幣処理装置及び表示制御方法は、利用者による操作性を高めることに適している。
【符号の説明】
【０１４２】
１  貨幣入出金機
１０  紙幣入出金装置
１２  筐体
１２ａ  下部扉
１３  引出ユニット
１４  投入部
１６  繰出部
１８  搬送部
２０  識別部
２２  表裏反転部
２４  バラ紙幣投出部
２４ａ  シャッター
２４ｂ  シャッター駆動部
２６  出金リジェクト部
３０  入金一時保留部
３０ａ  ステージ
３０ｂ  紙幣繰出繰入部
３２  混合バラ紙幣収納部
３２ａ  ステージ
３２ｂ  紙幣繰出繰入部
３４  金種別バラ紙幣収納部
３４ａ  ステージ
３４ｂ  紙幣繰出繰入部
４０  整理一時保留部
４２  帯封部
４４  アーム機構
４６  帯封紙幣揚送部
４６ａ  ステージ
４８  帯封紙幣投出部
４８ａ  シャッター
４８ｂ  シャッター駆動部
５０  ロック機構
６０  帯封紙幣搬送部
６０ａ  突起
６０ｂ  循環ベルト
６２  判別部
７０  帯封紙幣収納部
７０ａ  ステージ
１１０  硬貨入出金装置
１１２  筐体
１１４、１１５  前扉
１２０  入金繰出部
１２１  硬貨投入口
１２２  供給円盤
１２４  回転円盤
１２６  繰出機構
１２８  入金搬送部
１２９  入金識別部
１３０  リジェクト選別部
１３１  入金リジェクト用シュート
１３４  任意選別部
１３６  金種別選別部
１３６ａ  ５円硬貨選別部
１３６ｂ  １円硬貨選別部
１３６ｃ  ５０円硬貨選別部
１３６ｄ  １００円硬貨選別部
１３６ｅ  １０円硬貨選別部
１３６ｆ  ５００円硬貨選別部
１３８  入金リジェクト部
１４０  入金一時保留部
１４２  任意一時保留部
１４４  金種別一時保留部
１４４ａ〜１４４ｆ  保留領域
１４５  第１駆動機構
１４６  底部材
１４７  第２駆動機構
１５０  排出部
１５０ａ  返却箱
１５２  収納繰出部
１５２ａ〜１５２ｆ  収納領域
１５２ｐ  硬貨繰出部
１５４  コンベア
１５５  出金識別部
１５６  出金リジェクト箱
１５７  包装用シュート
１５８  出金用シュート
１６０  包装部
１６２  回転円盤
１６３  コンベア
１６４  排出シュート
１６５  包装硬貨用シュート
１６７  横搬送部
１６８  包装機構
１６８ａ  包装ローラ
１６９  切換部材
１７０  シュート機構
１７２  上部シュート
１７４  貯留用シュート
１７４ａ  排出側開口
１７５  貯留袋
１７６  包装用シュート
１７８  分岐部材
１９０  出金箱
１９０ａ  取っ手
１９２  シャッタ部材
１９４  出金リジェクト用シュート
１９６  分岐部材
１９７  端数硬貨収納箱
１９８  バラ硬貨一括収納箱
２００  包装硬貨収納ユニット
２０４  ストッパ機構
２０４ａ  ストッパ部分
２１０  包装硬貨搬送ユニット
２１２  プーリ
２１４  循環ベルト
２１６  突起
２１８、２１９、２２０  分岐部材
２３０  包装硬貨出金部
２３２  包装硬貨一括収納箱
２３６  包装硬貨投出部
２３８  包装硬貨投出用シュート
２４０  収納トレイ
２５０  ロック機構
３００  制御部
３００ａ  表示制御部
３００ｂ  表示用データ変更部
３０２  表示操作部
３０４  印字部
３０６  記憶部
３０６ａ  操作画面データ
３０６ｂ  ダイアログデータ
３０６ｃ  取扱説明書データ
３０６ｄ  ユーザ設定データ
３０８  通信インターフェース部
３１０  外部装置
【図１】
0006767756.tif 000002
【図２】
0006767756.tif 000003
【図３】
0006767756.tif 000004
【図４】
0006767756.tif 000005
【図５】
0006767756.tif 000006
【図６】
0006767756.tif 000007
【図７】
0006767756.tif 000008
【図８】
0006767756.tif 000009
【図９】
0006767756.tif 000010
【図１０】
0006767756.tif 000011
【図１１】
0006767756.tif 000012
【図１２】
0006767756.tif 000013
【図１３】
0006767756.tif 000014
【図１４】
0006767756.tif 000015
【図１５】
0006767756.tif 000016
【図１６】
0006767756.tif 000017
【図１７】
0006767756.tif 000018
【図１８】
0006767756.tif 000019
【図１９】
0006767756.tif 000020
【図２０】
0006767756.tif 000021